(57)【要約】【課題】 ざぼんを任意の形状に生育させ、かつ病虫害から保護する。【解決手段】  第一殼体１０、第二殼体１１、及び各殻体側面の開口に係合する文字、図形或いはマークを設けた造型板より構成する。果実（ざぼん）を該第一殼体及び該第二殼体内側に形成する空間中に配置し、第一、二殻体を合体して閉じ、果実の成長、成熟に任せる。  成長した果実は、外殻体の八角形などの形状になり、その外皮には造形板に形成した文字などの模様が凹凸として形成される。果実は、該殻体に保護されるため、病虫害などを回避でき、品質も向上する。【選択図】  図９
0003123832.tif 000002
【実用新案登録請求の範囲】
【請求項１】
一殼体、第二殼体、造型板からなり、
該第一殼体は、中空の半裁断面状で、該第一殼体外側周縁面上には板設置孔を形成し、該第一殼体内側の該板設置孔の周縁位置に係合孔を形成し、該第一殼体の頂端には第一頂点口を形成し、該第一頂点口外側位置に第一穿設ブロックを突出設置し、該第一穿設ブロック上には穿設孔を形成し、該第一頂点口に相対する該第一殼体の底端には第一底口を形成し、該第一底口の隣接位置には通気孔を形成し、該第一殼体の側端面上には嵌設ブロックを形成し、該嵌設ブロックとの隣接位置には定位ブロックを形成し、該定位ブロック上には凸体を形成し、
該第二殼体は、中空の半裁断面状で、該第二殼体外側周縁面上には板設置孔を形成し、該第一殼体内側の該板設置孔の周縁位置に係合孔を形成し、該第二殼体の頂端には該第一殼体の該第一頂点口と相対する第二頂点口を形成し、該第二頂点口外側位置に第二穿設ブロックを突出設置し、該第二穿設ブロック上には穿設孔を形成し、該第二頂点口に相対する該第二殼体の底端には第二底口を形成し、該第二底口との隣接位置には通気孔を形成し、該第二殼体の側端面上には該第一殼体の嵌設ブロックに対応する嵌接ブロックを形成し、該嵌接ブロック上には嵌接孔を形成し、該嵌接ブロックの隣接位置には定位ブロックを形成し、該定位ブロック上には貫通係合孔を形成し、
該造型板は、板片状で、かつ該第一殼体及び該第一殼体上の板設置孔に嵌合可能であると共に、該造型板片側と該第一殼体及び該第二殼体上の係合孔に対応して係合する係合設置ブロックを形成し、該造型板の内側には凸状の模様からなる凸伸ブロックを形成したことを特徴とするざぼんの成長補助治具。
【請求項２】
前記補助治具は、１個以上の該第一殼体及び該第二殼体から構成されることを特徴とする請求項１記載のざぼんの成長補助治具。
【請求項３】
前記第一殼体及び該第二殼体は、円弧形態を呈することを特徴とする請求項１或いは２記載のざぼんの成長補助治具。
【請求項４】
前記第一殼体及び該第二殼体は、それぞれ多面体により構成することを特徴とする請求項１或いは２記載のざぼんの成長補助治具。
【請求項５】
前記第一殼体及び該第二殼体は、それぞれ成長看視孔を設置することを特徴とする請求項１記載のざぼんの成長補助治具。
【請求項６】
前記凸伸ブロックは、文字或いは図形の形態を呈することを特徴とする請求項１記載のざぼんの成長補助治具。
【請求項７】
前記第一頂点口及び該第二頂点口上端隣接位置には枝係合体を設置したことを特徴とする請求項１記載のざぼんの成長補助治具。
【請求項８】
前記枝係合体上の中間位置には係合リングを形成し、該枝係合体一端は該第一穿設ブロック上に形成する穿設孔中に挿通し、反対端は該第二穿設ブロック上に形成する穿設孔中に挿通して固定することを特徴とする請求項７記載のざぼんの成長補助治具。
【請求項９】
前記枝係合体上と該係合リングの隣接位置には緊密固定体を設置したことを特徴とする請求項８記載のざぼんの成長補助治具。
【考案の詳細な説明】
【技術分野】
【０００１】
本考案は一種のざぼんの成長補助治具に関する。特に一種のざぼんの全体外観を改変可能で、表皮に文字或いは図案を形成し、天然災害、虫害の防止し、しかも生産高及び品質を向上させることができるざぼんの成長補助治具に係る。
【背景技術】
【０００２】
自然生産法により生産する自然果実であり、組織が比較的緩く皮は厚くいため、一般にざぼんの保存期間においては、収穫15日目から水分が失われ外形が收縮して変形し始め、消費者の購買意欲に影響を及ぼす。
これが台湾において長く行われてきた自然生産法による生産及び保管であるが、これまでは形状或いは外観を改変し、より多くの消費者の食指を動かし、市場を拡大すること等には考えが及んでいなかった。
これに対して本考案はざぼんを植え付ける時にその外観形態を変化させることができ、しかもざぼんを天候及び虫害の影響から守り、高品質、高生産量を実現し、消費者の購買意欲を刺激することができる。
【特許文献１】特許第３５８３３８６号公報
【考案の開示】
【考案が解決しようとする課題】
【０００３】
公知構造には以下の欠点があった。
すなわち、ざぼんは自然栽培法により生産する自然果実であり、組織が比較的緩く皮は厚くいため、収穫15日目から水分が失われ外観が收縮し変形し始め、消費者の購買意欲を低下させてしまっていた。さらに形状或いは外観を改変することができなかったため、市場を拡大することができなかった。
本考案は、上記構造の問題点を解決したざぼんの成長補助治具を提供するものである。
【課題を解決するための手段】
【０００４】
上記課題を解決するため、本考案は下記のざぼんの成長補助治具を提供する。
ざぼんの成長補助治具であって、第一殼体、第二殼体、造型板により構成し、
該第一殼体は中空かつ半断面状で、該第一殼体外側周縁面上には板設置孔を形成し、該第一殼体内側で、しかも該板設置孔の周縁の適当な位置には係合孔を形成し、該第一殼体の頂端には第一頂点口を形成し、該第一頂点口外側の適当な位置には第一穿設ブロックを突出設置し、該第一穿設ブロック上には穿設孔を形成し、該第一頂点口に相対する該第一殼体の底端には第一底口を形成し、該第一底口との隣接位置には通気孔を形成し、該第一殼体の側端面上には嵌設ブロックを形成し、該嵌設ブロックとの隣接位置には定位ブロックを形成し、該定位ブロック上には凸体を形成し、
該第二殼体は中空かつ半断面状で、該第二殼体外側周縁面上には板設置孔を形成し、該第一殼体内側で、しかも該板設置孔の周縁の適当な位置には係合孔を形成し、該第二殼体の頂端には該第一殼体の該第一頂点口と反対方向を呈し対応する第二頂点口を形成し、該第二頂点口外側の適当な位置には第二穿設ブロックを突出設置し、該第二穿設ブロック上には穿設孔を形成し、該第二頂点口に相対する該第二殼体の底端には第二底口を形成し、該第二底口との隣接位置には通気孔を形成し、該第二殼体の側端面上と第一殼体の嵌設ブロックは対応を呈し嵌接ブロックを形成し、該嵌接ブロック上には嵌接孔を形成し、該嵌接ブロックとの隣接位置には定位ブロックを形成し、該定位ブロック上には貫通係合孔を形成し、
該造型板は板片状でしかも該第一殼体及び該第一殼体上の板設置孔と嵌合可能な状態を呈する形態で、該造型板片側と該第一殼体及び該該第二殼体上の係合孔は対応し係合可能な状態で係合設置ブロックを形成し、該造型板の反対側には凸伸ブロックを形成することを特徴とするざぼんの成長補助治具である。
【考案の効果】
【０００５】
上記のように、本考案は成長補助治具により全体を六角体とし、これにより養分は果実中に均一に分布し、余分な養分は樹枝によりその他果実中に導入され、すべての果実の大きさを均一化することができ、すなわち自然生産法を改変可能である。また果実を成長補助治具中に嵌設し栽培するため、果実は成長補助治具により包まれ、果実に対する自然災害の影響と損害を低下させ、損失を縮小することができ、すなわち自然災害の損失を低下させることができる。さらに、繰返し使用可能であるため、袋状物の使用量を大幅に減らすことでコストを節減可能である。また成長補助治具は果実の外側に嵌設するため、虫害の発生を効果的に防止可能で、農薬の使用量を大幅に低下させ、農薬の環境に対する汚染を低減させることができる。さらに成長補助治具を果実の外側に嵌設するため果実への農薬噴霧を減少させ、或いは噴霧せずとも虫害を抑えることができるため、農薬の人体に対する危害を低下させることができる。また該造型板上に形成する文字或いは図案は果実の表皮上に形成されるため、果実は芸術的効果及び価値を持つようになり、また造型板上に形成する文字或いは図案によって、成長補助治具中に嵌設する果実は消費者の購買意欲を拡大し売上を増加させることができる。
【考案を実施するための最良の形態】
【０００６】
図1、2、5、3、4、6、7に示すように、本考案のざぼんの成長補助治具1は、第一殼体10、第二殼体11、造型板12により構成する。
該第一殼体10は、中空の半裁断面状で、該第一殼体10は三面体、四面体、多面体、或いは円弧体の形態とすることができる。また、該補助治具1は１個以上の第一殼体10により構成してもよい。該第一殼体10外側周縁面上には板設置孔100を形成し、該第一殼体10内側で、しかも該板設置孔100周縁の適当な位置には係合孔101を形成する。
該第一殼体10の頂端には第一頂点口102を形成し、該第一頂点口102外側の適当な位置は第一穿設ブロック103を突出形成する。該第一穿設ブロック103上には穿設孔1030を形成し、該第一頂点口102に対応する該第一殼体10の底端に第一底口104を形成し、該第一底口104の隣接位置には通気孔105を形成する。該第一殼体10の側端面上には嵌設ブロック106を形成し、該嵌設ブロック103隣接位置には定位ブロック107を形成し、該定位ブロック107上には凸体1070を形成する。
【０００７】
該第二殼体11（図５〜７参照）は、中空の半裁断面状で、該第二殼体11は三面体、四面体、多面体、或いは円弧体の形態とすることができる。また、該補助治具1は１個以上の第二殼体11により構成してもよい。該第二殼体11外側周縁面上には板設置孔110を形成し、該第一殼体11内側の該板設置孔110周縁の適当な位置には係合孔111を形成する。該第二殼体11の頂端には該第一殼体10の第一頂点口102と相対する第二頂点口112を形成し、該第二頂点口112外側の適当な位置には第二穿設ブロック113を突出設置する。該第二穿設ブロック113上には穿設孔1130を形成し、また、該第二頂点口112に対応する該第二殼体11の底端には第二底口114を形成する。該第二底口114の隣接位置には通気孔115を形成し、該第二殼体11の側端面上には該第一殼体10の嵌設ブロック103に対応する嵌接ブロック116を形成する。該嵌接ブロック116上には嵌接孔1160を形成し、該嵌接孔1160は該第一殼体10上に形成する嵌設ブロック106と相互に嵌合する。これにより該第一殼体10と該第二殼体11は相互に結合して一体化する。該嵌接ブロック116隣接位置には定位ブロック117を形成する。該定位ブロック117上には貫通係合孔1170を形成し、該貫通係合孔1170は該第一殼体10の定位ブロック107上に形成する凸体1070と相互に穿設して結合する。
該造型板12は、板片状で、該第一殼体10及び該第一殼体10上の板設置孔100と嵌合可能であって、該造型板12片側と該第一殼体10及び該第二殼体11上の係合孔101、111とが対応して係合するように角部に係合設置ブロック120を形成する（図６参照）。該係合設置ブロック120は、該第一殼体10と該第二殼体11の板設置孔100上に形成された係合孔101に係合して該造形板を固定する。
該造型板12の内側には文字或いは図形の形態を表わす凸伸ブロック121を形成する。
【０００８】
次に図3、6、8、9、10、11に示すように、該第一頂点口102及び該第二頂点口112上端の隣接位置にはざぼんの枝に取り付けるための枝係合体13を設置可能である。該枝係合体13上の適当な位置には係合リング130を形成し、該枝係合体13一端は該第一穿設ブロック103上に形成する穿設孔1030中に挿通し、反対端は該第二穿設ブロック113上に形成する穿設孔1130中に挿通して成長補助治具を固定する。該枝係合体13上と該係合リング130隣接位置には両者をより強固に固定する緊密固定体14を設置可能である。
該第一殼体10及び該第二殼体11内側には果実（ざぼん）2を収容して配置し、該嵌設ブロック106と該嵌接ブロック116上の嵌接孔1160は相互に嵌合して両殻体を固定する。また、同様にして該第一殼体10上の定位ブロック107が突出設置する凸体1070と該第二殼体11上の定位ブロック117に形成する貫通係合孔1170を相互に係合して固定する。これにより、該果実（ざぼん）2は該成長補助治具1中に収容された状態となる（図９参照）。該果実（ざぼん）2一端に連なる樹枝20は、該第一頂点口102及び該第二頂点口112より該成長補助治具1の外にあり、果実（ざぼん）2は普通に成長を続けることができる。該果実（ざぼん）2の成長範囲は、該成長補助治具1の制限を受けるため、該果実（ざぼん）2の外型は該成長補助治具1の六角体状に応じて、該果実（ざぼん）2の外型は該成長補助治具1の六角体と同様となる。しかも該第一殼体10と該第二殼体11上に設置する造型板12上に形成する凸伸ブロック121により、該果実（ざぼん）2が該成長補助治具1に嵌合される時、該果実（ざぼん）2の外皮はまもなく成熟する段階において該凸伸ブロック121の設置に対応し相対的にわずかな陥没状に成長し、本考案が意図する凹体字、凹体図形或いは凹体マーク等の形態を達成することができる。さらに、該第一殼体10及び該第二殼体11はそれぞれ成長看視孔を設置し、該果実2の成長状況を看視可能で、これによりざぼんの品質は全面的に向上し、国際市場開拓も可能となる。さらには生産過剰の問題を解決することにより政府に協力し、ざぼん農家に新たな希望をもたらすことができる。
【図面の簡単な説明】
【０００９】
【図１】本考案の第一殼体の立体図である。
【図２】本考案の造型板の立体図である。
【図３】第一殼体に造型板を組合せる様子の立体分解図である。
【図４】第一殼体と造型板の組合せ図である。
【図５】本考案の第二殼体の立体図である。
【図６】第二殼体に造型板を組合せる様子の立体分解図である。
【図７】第二殼体と造型板の組合せ図である。
【図８】枝係合体及び緊密固定体の図である。
【図９】本考案の第一実施例の図である。
【図１０】本考案の果実図である。
【図１１】本考案の第二実施例の図である。
【符号の説明】
【００１０】
1  成長補助治具
10  第一殼体
100  板設置孔
101  係合孔
102  第一頂点口
103  第一穿設ブロック
1030  穿設孔
104  第一底口
105  通気孔
106  嵌設ブロック
107  定位ブロック
1070  凸体
11  第二殼体
110  板設置孔
111  係合孔
112  第二頂点口
113  第二穿設ブロック
1130  穿設孔
114  第二底口
115  通気孔
116  嵌接ブロック
1160  嵌接孔
117  定位ブロック
1170  貫通係合孔
12  造型板
120  係合設置ブロック
121  凸伸ブロック
13  枝係合体
130  係合リング
14  緊密固定体
2  果実（ざぼん）
20  樹枝
【図１】
0003123832.tif 000003
【図２】
0003123832.tif 000004
【図３】
0003123832.tif 000005
【図４】
0003123832.tif 000006
【図５】
0003123832.tif 000007
【図６】
0003123832.tif 000008
【図７】
0003123832.tif 000009
【図８】
0003123832.tif 000010
【図９】
0003123832.tif 000011
【図１０】
0003123832.tif 000012
【図１１】
0003123832.tif 000013